(57)【要約】【課題】一体成形した内容器と枠材とからなり、基本的には、内容器と枠材との一体化の接合手段として、熱融着、接着剤などによる接着手段を用いない加工食品用簡易容器の改良であって、組み立てをより簡便にし、加工食品用簡易容器としての機能の展開を図る。【解決手段】一体成形した内容器１と枠材２とからなり、枠材２を内容器１の上方開口から嵌合装着したものである。内容器１には、底面と食品収納空間を形成する内部の立ち上がり面１１と、この内部立ち上がり面１１の頂部から連続した外面１３を形成し、その外面１３の下縁外周に、内容器１の上方開口から嵌合した枠材２の下縁を落とし込み、係止する溝１７を形成した。枠材２は折り畳んだ１枚の帯状材からなり、折り畳んだ状態から内容器１の開口に合わせた開口状態に押し広げて内容器１の上方開口から嵌合する。【選択図】    図１
2004250065.tif 000002
【特許請求の範囲】
【請求項１】
一体成形した内容器と枠材とからなり、枠材を内容器の上方開口から嵌合装着した加工食品用簡易容器。
【請求項２】
一体成形した内容器が、底面と食品収納空間を形成する内部の立ち上がり面と、この内部立ち上がり面の頂部から連続した外面を形成した請求項１に記載の加工食品用簡易容器。
【請求項３】
一体成形した内容器の外面の下縁外周に、内容器の上方開口から嵌合した枠材の下縁を落とし込み、係止する溝を形成した請求項２に記載の加工食品用簡易容器。
【請求項４】
枠材が折り畳んだ１枚の帯状材からなり、この折り畳んだ状態から内容器の開口に合わせた開口状態に押し広げて内容器の上方開口から嵌合した請求項１〜３の何れかに記載の加工食品用簡易容器。
【請求項５】
一体成形した内容器の外面には突条を、また枠材の内周面には条溝を形成し、枠材を内容器の上方開口から嵌合装着した際、前記突条が前記条溝内に収まって、内容器と枠材とが係止固着される請求項１〜４の何れかに記載の加工食品用簡易容器。
【請求項６】
内容器の外面を、下方に向かって外方に傾斜せしめてなる請求項１〜５の何れかに記載の加工食品用簡易容器。
【請求項７】
枠材の高さを内容器の高さより低く形成し、内容器の外面の枠材より突出した部分と枠材の頂面とを簡易容器を覆う蓋の載置手段として利用する請求項１〜６に記載の加工食品用簡易容器。
【発明の詳細な説明】
【０００１】
【発明の属する技術分野】
この発明は、弁当、寿司、ギョウザなどの各種加工食品を収納するための使い捨てのプラスチック製簡易容器に関する。
【０００２】
【従来の技術】
このようなプラスチック製の簡易容器として、発泡プラスチック製の枠材の底に一体成形した薄いプラスチック製底板を融着した容器が広く用いられてきた。
【０００３】
係る従前の簡易容器は、嵩容量が大きく、搬送に際して場所をとり、また、耐圧強度が弱く、無理な荷作りもできないために、著しく、搬送効率を低いものとしていた。
【０００４】
そこで、本願出願人は、先に、特許文献１及び特許文献２において、折り畳み可能な一枚の枠材を押し広げ、この枠材の空間内に、立ち上がり面とその立ち上がり面に連続して垂下面を設けた一体成形の内容器を上方から落とし込み、内容器の立ち上がり面と垂下面との間の内部空間内に枠材の上周縁を挿入係止した簡易容器を提示した。
【０００５】
この内容器を枠材の上方から嵌合させる型の加工食品用簡易容器は、基本的には枠材と内容器を溶着その他の手段で接合させることなく組み立てできるので、内容器を重ね合わせて、また、枠材は折り畳んだ状態で搬送して、使用現場で簡単に組み立てでき、搬送に際しての嵩量が小さく、物流効率を格段に向上できるという効果がある。
【０００６】
しかも、収納部はプラスチックその他の一体成形の内容器によって作られているので、強固な上に、収納空間に継ぎ目がなく、汁の漏洩のない簡易容器を得ることができる。
【０００７】
【特許文献１】
特許第３２９９４４９号公報
【０００８】
【特許文献２】
特開２００３−１１９６５号公報
【０００９】
【発明が解決しようとする課題】
本発明は、一体成形した内容器と枠材とからなり、基本的には、内容器と枠材との一体化の接合手段として、熱融着、接着剤などによる接着手段を用いない加工食品用簡易容器の改良であって、組み立てをより簡便にし、加工食品用簡易容器としての機能の展開を図るものである。
【００１０】
【課題を解決するための手段】
本発明に係る加工食品用簡易容器は、一体成形した内容器と枠材とからなり、枠材を内容器の上方開口から嵌合装着したものである。
【００１１】
上記特許文献１に記載のように、枠材の上方から内容器を嵌合する場合は、比較的脆弱な枠材を固定して内容器を押し付けるものであるから、枠材の固定に要領を要していたが、本発明の場合では、脆弱な方の枠材を支持して内容器の上方から押し込むものであるので枠材が破損することがなく、簡単に組み立てができる。
【００１２】
【発明の実施の形態】
以下、実施例に基づいて本発明の実施の形態を説明する。
【００１３】
実施例１
図１は本発明の第１の実施例に係る簡易容器の構成部材を示す。
【００１４】
同図に示すように、簡易容器１０は、加工食品の収納空間を構成する内容器１と、矢印で示すように、この内容器１に上方から嵌合する枠材２とから構成されている。
【００１５】
内容器１はプラスチックその他の塑性成形可能な材料によって一体成形されたもので、その内面の外周には立ち上がり面１１が形成され、その内部は凹状の加工食品の収納部１２が形成されている。また、この立ち上がり面１１の頂部から連続して外方下方に外面１３が形成され、立ち上がり面１１とこの外面１３との間には空間１４（図３参照）が形成されている。この外面１３の下端縁は、加工食品の収納部１２の下方に位置し、容器を載置したとき、加工食品の収納部１２の底面が載置面と接することがないようになっている。この外面１３は、内容器１の成形を容易にすることと、枠材２の嵌合に際して、滑り落ちを容易にし、嵌合を正確にするために、下方に向かって外方に傾斜させている。さらに、この外面１３の下端縁の全周は、外方に張り出して、その張り出し部１５には、枠材２を係止するための突条１６と枠材２の下端を落とし込んで装着するための溝１７が設けられている。
【００１６】
枠材２は、一体成形した内容器１の外周各辺の長さにあわせて加工されている。この枠材２は、上記特許文献２に記載のように、１本の輪状の帯材として折り畳むことができ、これを折り畳み状態から展開したときには、正確に４角形とするために、それぞれ異なった形態を持つ隅部２１と２２を形成したものを使用することができる。枠材２の全内周面には、内容器１の外面に形成した突条１６と係止するための条溝２３が形成されている。
【００１７】
このように成形された枠材２を、矢印に示すように、上方から内容器１の外面１３に沿って嵌合して、図２に示すように、内容器１の外面の張り出し部１５の溝１７に装着し、簡易容器１０を組み立てる。
【００１８】
この簡易容器１０は、その断面図である図３に見られるとおり、枠材２の下端は内容器１の外面の張り出し部１５の溝１７に落とし込まれて装着され、内容器１の外面に形成した突条１６は、枠材２の全内周面に形成した条溝２３に嵌り込んで係止されているので、内容器１は枠材２と完全に一体化されていることになる。
【００１９】
実施例２
図４は、本発明の第２の実施例に係る簡易容器２０の外観を示す。
【００２０】
同図に示すように、この実施例に係る簡易容器２０は、基本的に実施例１に示す簡易容器１０と同様に、内容器１の外面１３に沿って上方から枠材２を嵌合し、内容器１の外面の張り出し部１５の溝１７内に枠材２の先端を装着したもので、内容器１の外面に形成した突条１６が、枠材２の全内周面に形成した条溝２３に嵌り込んで係止し、簡易容器２０を組み立てたものである。この実施例に係る簡易容器２０の実施例１との相違点は、その断面図である図５に見られるとおり、枠材２の高さを内容器１の高さより低く形成し、これによって、内容器１の外面１３の上方部分に枠材２の上端より突出した部分１３１が現出している点にある。そして、この突出した部分１３１と枠材２の頂面２４とを、簡易容器２０を覆う蓋３の載置手段として利用したものである。
【００２１】
この構造は、図５に示す断面構造によって示されている。すなわち、同図を参照して、内容器１の上端より突出した部分１３１の外面には蓋３との係合溝１３２が形成されている。そして、薄い透明プラスチック製の蓋３の先端垂下部３１には、２つの段面３２と３３が形成され、その中間の立ち上がりの内面に係止突起３４が形成されている。
【００２２】
簡易容器２０に蓋３を覆う際には、蓋３の先端垂下部３１に形成された各段面３２と３３は、それぞれ、内容器１の頂部と枠材２の頂面２４上に載置され、さらに、蓋３の先端垂下部３１に形成された係止突起３４が、内容器１の係合溝１３２内に挿入係止して、蓋３は簡易容器２０に取り外し自在に固定できる。そして、簡易容器２０内に収納された加工食品は清潔な状態で維持でき、透明な蓋３を通して確認できる。
【００２３】
【発明の効果】
１．  簡易容器を嵩張った完成品としてではなく、枠材を折り畳み内容器を重ね合わせた状態で使用現場まで搬送できるので、物流コストを低減できる。
【００２４】
２．  枠材を内容器の上方から嵌合するだけで、比較的高強度で、汁漏れがなく、見栄えも優れた加工食品の収納のための簡易容器が簡単に得られる。
【００２５】
３．  簡易容器を覆う蓋の嵌合性が良く蓋が外れにくいので、簡易容器内の食品に異物が混入したり、食品が外にこぼれ出ることがなく、食品の衛生状態を良好に保つことができる。
【００２６】
４．  高級感のある容器を従来よりも安価に市場に提供できる。
【図面の簡単な説明】
【図１】本発明の第１の実施例に係る簡易容器の構成部材を示す。
【図２】各構成部材を組み立てた簡易容器の外観を示す。
【図３】図２に示す簡易容器の構成を断面によって示す。
【図４】本発明の第２の実施例に係る簡易容器の外観を示す。
【図５】図４に示す簡易容器の構成を断面によって示す。
【符号の説明】
１０、２０簡易容器の実施例
１  内容器
１１  立ち上がり面    １２  加工食品の収納部    １３  外面
１４  空間            １５  張り出し部          １６  突条
１７  溝              １３１  外面の突出した部分
１３２  係合溝
２  枠材
２１、２２  隅部    ２３  条溝    ２４  頂面
３  蓋
３１  蓋の先端垂下部    ３２、３３  段面    ３４  係止突起
【図１】
2004250065.tif 000003
【図２】
2004250065.tif 000004
【図３】
2004250065.tif 000005
【図４】
2004250065.tif 000006
【図５】
2004250065.tif 000007